(57)【特許請求の範囲】
【請求項１】
顔を検出したときにその顔に対して自動的にピント位置を合わせるオートフォーカス手段を有する撮像レンズを備え、該撮像レンズを通して撮像面上に結像させた被写体の像を撮像する撮像装置において、
顔であるか否かを判別するための判別情報を記憶させた記憶手段と、
前記撮像レンズを通して撮像された画像中から顔を表す画像を前記判別情報に基づいて検出する検出手段と、
前記検出手段により前記顔を表す画像が検出されたときに、前記撮像面上での受光光量が一定であるか否かを判定する判定手段と、
シャッターボタン操作前において、前記判定手段により前記撮像面上での受光光量が一定であると判定された場合には前記顔に対してピント位置が合うように前記オートフォーカス手段のピント合わせ動作を実行させ、前記撮像面上での受光光量が一定ではないと判定された場合には前記オートフォーカス手段の前記顔に対する前記ピント合わせ動作を実行させないように制御する制御手段とを備えたことを特徴とする撮像装置。
【請求項２】
顔を検出したときにその顔に対して自動的にピント位置を合わせるオートフォーカス手段を有する撮像レンズを通して撮像面上に結像させた被写体の像を撮像する撮像方法において、
顔であるか否かを判別するための判別情報を記憶させておき、前記撮像レンズを通して撮像された画像中から顔を表す画像を前記判別情報に基づいて検出し、
前記顔を表す画像が検出された場合に、前記撮像面上での受光光量が一定であるか否かを判定し、
シャッターボタン操作前において、前記撮像面上での受光光量が一定であると判定された場合には前記顔に対してピント位置が合うように前記オートフォーカス手段のピント合わせ動作を実行させ、前記撮像面上での受光光量が一定ではないと判定された場合には前記オートフォーカス手段の前記顔に対する前記ピント合わせ動作を実行させないようにすることを特徴とする撮像方法。
【発明の詳細な説明】
【技術分野】
【０００１】
本発明は、オートフォーカス手段を有する撮像レンズを通して撮像面上に結像させた被写体の像を撮像する撮像方法および装置に関するものである。
【背景技術】
【０００２】
従来より、撮像された画像中から人の顔を表す画像を検出し、その被写体となった顔に対して自動的にピントを合わせたり、あるいは上記検出された画像中の顔を表す領域が拡大されるように自動的にズーム倍率を変更させるデジタルカメラが知られている（特許文献１参照）。
【０００３】
このような、デジタルカメラには、シャッタボタンを半押し状態にしたときに撮像された撮像条件設定用の画像中から顔を表す画像を検出し、その被写体となった顔に対して自動的にピントを合わせる方式が知られている。
【０００４】
上記方式は、シャッタボタンを半押してから、被写体となった顔に対してピントを合わせるまでの処理量が大きく、記録に残すための撮像（以後、本撮像ともいう）が可能となるまでの待ち時間が長くなるため、上記待ち時間を短くする以下のようなコンティニュアス顔検出方式のデジタルカメラも検討されている。このコンティニュアス顔検出方式のデジタルカメラは、上記シャッタボタンの操作等を行なうことなく上記撮像された画像中から顔を表す画像を検出する顔検出を常時行い、顔が検出されたときにその被写体となった顔に対して自動的にピントを合わせる方式である。この方式によれば、シャッタボタンの押し状態にかかわらず、常に被写体となった顔にピントを合わせるようにデジタルカメラを動作させることができるので、上記待ち時間を短縮することができ、実質的に、シャッタを全押し状態にして本撮像を行なおうとするときには被写体となった顔にピントが合った状態とすることができる。
【０００５】
また、上記顔にピントを合わせる機構としては、コントラスト検出方式のＡＦ（オートフォーカス）機構が知られている。このコントラスト検出方式のＡＦ機構は、フォーカス用レンズ群を動作範囲内で移動させながら撮像して得られた複数の画像のうちでコントラストが最大、すなわち合焦評価値が最大となる画像が得られたときのフォーカス用レンズ群の位置にこのフォーカス用レンズ群を位置させるものである（特許文献１参照）。
【特許文献１】特開２００４−３２０２８６号公報
【発明の開示】
【発明が解決しようとする課題】
【０００６】
ところで、上記コンティニュアス顔検出方式は、被写体となった顔を本撮像するまでの待ち時間が短い点では優れているが、常時行なわれる顔検出に伴って実行されるオートフォーカス動作で消費される電力は他の処理における消費電力に比して大きいため、その消費電力を低減したいという要請がある。
【０００７】
本発明は、上記事情に鑑みてなされたものであり、オートフォーカス動作による消費電力を低減することができる撮像方法および装置を提供することを目的とするものである。
【課題を解決するための手段】
【０００８】
本発明の撮像装置は、顔を検出したときにその顔に対して自動的にピント位置を合わせるオートフォーカス手段を有する撮像レンズを備え、この撮像レンズを通して撮像面上に結像させた被写体の像を撮像する撮像装置において、顔であるか否かを判別するための判別情報を記憶させた記憶手段と、撮像レンズを通して撮像された画像中から顔を表す画像を前記判別情報に基づいて検出する検出手段と、検出手段により前記顔を表す画像が検出されたときに、撮像装置による撮像状態が適正撮像条件を満たしているか否かを判定する判定手段と、この判定手段により撮像装置による撮像状態が前記適正撮像条件を満たしていると判定された場合には顔に対してピント位置が合うようにオートフォーカス手段のピント合わせ動作を実行させ、撮像装置による撮像状態が前記適正撮像条件を満たしていないと判定された場合にはオートフォーカス手段のピント合わせ動作を実行させないように制御する制御手段とを備えたことを特徴とするものである。
【０００９】
なお、前記ピント位置とは、撮像面上に正しく結像される像（像点）に対応する被写体（物点）の位置を意味するものであり、撮像レンズのピント位置に位置する被写体の像は撮像面上にピントが合った状態で結像される。
【００１０】
前記顔は人の顔とすることができる。
【００１１】
前記適正撮像条件は、顔を撮像して得られる画像中での前記顔を表す画像の位置および大きさが一定とすることができる。なお、前記顔を表す画像の位置および大きさが一定とは、顔を表す画像の位置および大きさが完全に一定の場合に限らず、上記撮像で得られる顔を表す画像にブレが認められない程度に一定であればよい。
【００１２】
前記適正撮像条件は、撮像レンズの画角が固定された状態とすることができる。なお、前記画角が固定された状態とは、完全に画角が固定された場合に限らず、上記撮像で得られる顔を表す画像にブレが認められない程度に画角が固定された状態であればよい。
【００１３】
前記適正撮像条件は、撮像装置が静止状態とすることができる。なお、撮像装置が静止状態とは、撮像装置が完全に静止している場合に限らず、上記撮像で得られる顔を表す画像にブレが認められない程度に撮像装置が静止している状態を意味するものである。
【００１４】
前記適正撮像条件は、撮像レンズを通して撮像された画像の合焦評価値が一定とすることができる。なお、前記合焦評価値が一定とは、合焦評価値の変動が±５％以下であることを意味するものである。
【００１５】
前記前提条件は、撮像面上での受光光量が一定とすることができる。なお、受光光量が一定とは、完全に一定の場合に限らず、上記撮像に支障が認められない程度に一定であればよい。また、受光光量を取得する領域は、例えば、撮像面全体、撮像面中の一部をなす注目領域、あるいは撮像面を分割してなる複数の領域とすることができる。
【００１６】
前記前提条件は、撮像された画像の色を示す値が一定とすることができる。なお、画像の色を示す値が一定とは、完全に一定の場合に限らず、上記撮像に支障が認められない程度に一定であればよい。また、例えば、画像の色を示す値は撮像された画像の色を示すＲ信号、Ｇ信号、Ｂ信号の積算値とすることができる。また、画像の色を示す値はホワイトバランスの値とすることもできる。さらに、画像の色を示す値を取得する領域は、撮像された画像全体、撮像された画像中の一部をなす注目領域、あるいは撮像された画像を分割してなる複数の領域とすることができる。
【００１７】
前記撮像装置は、被写体の移動を検出し検出結果を出力する被写体移動検出手段を備えたものとすることができ、前記前提条件は、被写体移動検出手段からの出力が被写体の位置が一定であることを示す状態とすることができる。
【００１８】
前記前提条件は、前記撮像装置の撮像モードを、顔検出モード、人物撮像モード、セルフタイマー撮像モード、または自分撮像モードに設定した状態とすることができる。なお、人物撮像モードは、人物を被写体として撮像することを前提とした撮像モードである。
【００１９】
前記前提条件は、前記オートフォーカス手段を駆動するための電池に蓄積されたエネルギの残量が予め定められた閾値以下とすることができる。前記閾値は、電池に蓄積可能なエネルギ量の１０％とすることができる。
【００２０】
本発明の撮像方法は、顔を検出したときにその顔に対して自動的にピント位置を合わせるオートフォーカス手段を有する撮像レンズを通して撮像面上に結像させた被写体の像を撮像する撮像方法において、顔であるか否かを判別するための判別情報を記憶させておき、撮像レンズを通して撮像された画像中から顔を表す画像を前記判別情報に基づいて検出し、前記顔を表す画像が検出されたときに、その顔を撮像する撮像状態が適正撮像条件を満たしているか否かを判定し、撮像状態が前記適正撮像条件を満たしていると判定された場合には前記顔に対してピント位置が合うようにオートフォーカス手段のピント合わせ動作を実行させ、撮像状態が前記適正撮像条件を満たしていないと判定された場合にはオートフォーカス手段のピント合わせ動作を実行させないようにすることを特徴とするものである。
【発明の効果】
【００２１】
本発明の撮像方法および装置は、撮像レンズを通して撮像された画像中から顔を表す画像を検出し、顔を表す画像が検出されたときに、その顔を撮像する撮像状態が適正撮像条件を満たしているか否かを判定し、撮像状態が前記適正撮像条件を満たしていると判定された場合には顔に対してピント位置が合うようにオートフォーカス手段のピント合わせ動作を実行させ、撮像状態が適正撮像条件を満たしていないと判定された場合にはコンティニュアスＡＦによるピント位置合わせを実行させるようにしたので、撮像状態が適正でなくこの状態で撮像しても被写体を表す正常な画像が得られない可能性が高い場合には、すなわち例えば手ブレ等により、取得された画像にブレが生じる可能性が高い場合には、顔の検出や顔に対するピント合わせ動作を実行させないようにすることができる。これにより、検出された顔に自動的にピントを合わせて撮像を行なう際のオートフォーカス動作の動作量を低減させることができ、顔に対するオートフォーカス動作による消費電力を低減することができる。
【００２２】
また、適正撮像条件を、顔を撮像して得られる画像中での上記顔を表す画像の位置および大きさが一定、撮像レンズの画角が固定された状態、撮像装置が静止状態、あるいは撮像レンズを通して撮像された画像の合焦評価値が一定とすれば、撮像状態が適正でないときの不要なオートフォーカス動作の実行をより確実に抑制することができ、オートフォーカス動作による消費電力をより確実に低減することができる。
【００２３】
また、撮像装置を、被写体の移動を検出し検出結果を出力する被写体移動検出手段を備えたものとし、前提条件を、被写体移動検出手段からの出力が被写体の位置が一定であることを示す状態とすれば、被写体移動検出手段の情報処理量は上記顔を表す画像を検出する検出手段の情報処理量より少なくその分だけ消費電力も少ないので、撮像装置の消費電力をより少なく抑えることができる。
【発明を実施するための最良の形態】
【００２４】
以下、図面を参照して本発明の実施形態を詳細に説明する。図１および図２は、本発明の実施形態による撮像方法を実施する撮像装置の１例であるデジタルスチルカメラ（以下、単にデジタルカメラという）を示すものであり、図１は上記デジタルスチルカメラを前面側から見た図、図２上記デジタルスチルカメラを背面側から見た図である。図３は上記デジタルカメラの主に電気的な構成を示すブロック図、図４は上記ブロック図中の顔検出処理部の構成を詳しく示すブロック図、図５は上記デジタルカメラによる処理の全体の流れを示すフロー図である。
【００２５】
上記デジタルカメラ１は、顔を検出したときにその顔に対して自動的にピント位置を合わせる後述するオートフォーカス部を有する撮像レンズ２０を備え、その撮像レンズ２０を通してＣＣＤ５８の光電変換面である撮像面５８ａ上に結像させた被写体の像を撮像するものである。上記デジタルカメラ１は、上記図４等に示すように、顔であるか否かを判別するための判別情報Ｈｊを記憶させた判別情報記憶部８１と、撮像レンズ２０を通して撮像された画像中から顔を表す画像を判別情報Ｈｊに基づいて検出する検出部８２と、検出部８２により顔を表す画像が検出されたときに、デジタルカメラ１による撮像状態が適正撮像条件を満たしているか否かを判定する判定部８３と、上記判定部８３による判定に用いる適正撮像条件の候補となる複数の適正撮像条件Ｊ１，Ｊ２・・・を記憶させた適正撮像条件記憶部８４と、上記適正撮像条件Ｊ１，Ｊ２・・・のうちから上記判定に用いる適正撮像条件を選択する選択部８５とを備えている。
【００２６】
さらに、上記デジタルカメラ１は、判定部８３によりデジタルカメラ１の撮像状態が上記選択された適正撮像条件を満たしていると判定された場合には上記顔に対してピント位置が合うように上記オートフォーカス部のピント合わせ動作を実行させ、デジタルカメラ１の撮像状態が適正撮像条件を満たしていないと判定された場合には上記オートフォーカス部のピント合わせ動作を実行させないように制御する制御部８６を備えている。
【００２７】
なお、上記判別情報記憶部８１、検出部８２、判定部８３、適正撮像条件記憶部８４、選択部８５、および制御部８６等が、顔検出処理部６５を構成している。
【００２８】
以下、上記デジタルカメラ１について、さらに詳しく説明する。
【００２９】
図２に示す通りこのデジタルカメラ１のボディ本体１０の背面には、ユーザによる操作のためのインターフェースとして、動作モードスイッチ１１Ｄ、撮像モードスイッチ１１Ｓ、メニュー切替操作ボタン１２、ズームレバー１３が設けられている。また、上記インターフェースとして、表示カーソル移動ボタン、表示戻しボタン、表示切替ボタン等（図示は省略）も設けられている。
【００３０】
さらに、上記背面には、被写体を確認するためのファインダ１７および、撮像および再生された画像を表示させるための液晶モニタ１８等が設けられている。またボディ本体１０の上面には、シャッタボタン１９が設けられている。
【００３１】
また、図１に示すようにボディ本体１０の前面には、撮像レンズ２０、電源スイッチを兼ねた横方向にスライドするレンズカバー２１、ファインダ窓２３、フラッシュ２４、およびセルフタイマーランプ２５等が設けられている。
【００３２】
動作モードスイッチ１１Ｄは、撮像モード、再生モードの各動作モードを切り替えるためのスライドスイッチである。メニュー切替操作ボタン１２は、押下したり回転させたりすることによって、撮像モードの詳細設定、フラッシュ発光モードの詳細設定、記録画素数や感度等の設定等を行うための各種メニューを液晶モニタ１８に表示させ、液晶モニタ１８に表示されたメニューに基づく選択・設定等を行なうためのボタンである。
【００３３】
ズームレバー１３は、上下方向に移動させることによって、撮像レンズの焦点距離を望遠側／広角側に調節するためのレバーである。
【００３４】
なお、上記表示カーソル移動ボタンは、各種設定時に液晶モニタ１８に表示されるメニュー画面中のカーソルを左右に移動させるボタン、表示戻しボタンは、各種設定操作を中止させてメニュー画面を１つ前の画面に戻すためのボタンである。また、表示切替ボタンは、液晶モニタ１８の表示のＯＮ／ＯＦＦ、各種ガイド表示、文字表示のＯＮ／ＯＦＦ等を切り替えるためのボタンである。
【００３５】
以上説明した各ボタンおよびレバーの操作による設定内容等は、液晶モニタ１８中の表示や、ファインダ内のランプ、スライドレバーの位置等によって確認可能となっている。また液晶モニタ１８は、撮像の際に被写体確認用の後述するスルー画を表示させることにより、電子ビューファインダとして機能する他、撮像後の静止画や動画の再生表示、各種設定メニューの表示を行う。
【００３６】
上記スルー画は、上記撮像モードが選択されている間、シャッタボタンを押すことなく所定時間間隔で撮像され液晶モニタ１８に表示される画像である。スルー画として撮像された画像を構成する画素数は、本画像を構成する画素数の１／１６程度である。上記本画像は、記録に残すための画像であり、シャッタボタンを全押し状態にして本撮像を行なったときに得られる画像である。上記本画像を示す画像データは外部記録メディア７０へ記録される。なお、スルー画および後述するプレ画像として撮像され取得された画像は記録されない。
【００３７】
図２および図３に示される通りこのデジタルカメラ１は、撮像した画像の画像データを、例えばＥｘｉｆ形式の画像ファイルに変換して、本体に着脱可能な外部記録メディア７０へ記録する。画像ファイルには、画像データの他に付帯情報が格納される。
【００３８】
このデジタルカメラ１には、前述の動作モードスイッチ１１Ｄ、撮像モードスイッチ１１Ｓ、メニュー切替操作ボタン１２、ズームレバー１３、シャッタボタン１９、電源スイッチを兼ねるレンズカバー２１等のスイッチ類、および、その他の表示カーソル移動ボタン、表示戻しボタン、表示切替ボタン等のスイッチ類の操作内容をＣＰＵ（中央演算装置）７５に伝えるためのインターフェース部である操作系制御部７４が設けられている。
【００３９】
また、撮像レンズ２０の構成要素として、フォーカス用レンズ群２０ａおよびズーム用レンズ群２０ｂが設けられている。それらのレンズ群は各々、モータとモータドライバからなるフォーカスレンズ駆動部５１、同様のズームレンズ駆動部５２によって駆動され、光軸方向に移動可能である。フォーカスレンズ駆動部５１はＡＦ処理部６２から出力されるフォーカス駆動量データに基づいてフォーカス用レンズ群２０ａを移動させ、そしてズームレンズ駆動部５２はズームレバー１３の操作量データに基づいてズーム用レンズ群２０ｂを移動させる。
【００４０】
上記オートフォーカス部は、フォーカス用レンズ群２０ａ、フォーカスレンズ駆動部５１、ＡＦ処理部６２、ＣＰＵ７５等から構成されている。
【００４１】
また絞り５４は、モータとモータドライバとからなる絞り駆動部５５によって駆動される。この絞り駆動部５５は、ＡＥ（自動露出）／ＡＷＢ（オートホワイトバランス）処理部６３から出力される絞り値データに基づいて絞り径の調整を行う。
【００４２】
シャッター５６はメカニカルシャッタであり、モータとモータドライバとからなるシャッター駆動部５７によって駆動される。シャッター駆動部５７は、シャッタボタン１９の押下により発生する信号と、ＡＥ／ＡＷＢ処理部６３から出力されるシャッター速度データとに応じて、シャッター５６の開閉の制御を行う。
【００４３】
上記フォーカス用レンズ群２０ａ、ズーム用レンズ群２０ｂ、絞り５４、およびシャッター５６等からなる光学系の後方には、撮像素子であるＣＣＤ５８が備えられている。ＣＣＤ５８は、多数の受光素子が２次元的に配列されてなる撮像面５８ａを有しており、光学系を通過した被写体光がこの撮像面５８ａに結像され光電変換される。撮像面５８ａの前方には、撮像面５８ａ上の各画素に光を集光させるためのマイクロレンズアレイ（図示せず）と、Ｒ，Ｇ，Ｂ各色のフィルタが規則的に配列されてなるカラーフィルタレイ（図示せず）とが配置されている。ＣＣＤ５８は、ＣＣＤ制御部５９から供給される垂直転送クロック及び水平転送クロックに同期して、画素毎に蓄積された電荷を１ラインずつシリアルのアナログ画像信号として出力する。各画素において電荷を蓄積する時間、すなわち露出時間は、ＣＣＤ制御部５９から与えられる電子シャッター駆動信号によって決定される。
【００４４】
ＣＣＤ５８が出力するアナログ画像信号は、アナログ信号処理部６０に入力される。このアナログ信号処理部６０は、アナログ信号のノイズを除去する相関２重サンプリング回路（ＣＤＳ）と、アナログ信号のゲインを調節するオートゲインコントローラ（ＡＧＣ）と、アナログ信号をデジタル信号に変換するＡ／Ｄコンバータ（ＡＤＣ）とからなる。このデジタル信号に変換された画像データは、画素毎にＲ，Ｇ，Ｂの濃度値を持つＣＣＤ−ＲＡＷデータである。
【００４５】
タイミングジェネレータ７２はタイミング信号を発生させるものであり、このタイミング信号がシャッター駆動部５７、ＣＣＤ制御部５９、アナログ信号処理部６０に入力されて、シャッタボタン１９の操作と、シャッター５６の開閉、ＣＣＤ５８の電荷の取込み、アナログ信号処理部６０の処理の同期が取られる。フラッシュ制御部７３は、フラッシュ２４の発光動作を制御する。
【００４６】
画像入力コントローラ６１は、上記アナログ信号処理部６０から入力された画像データ（ＣＣＤ−ＲＡＷデータ）をフレームメモリ６８に書き込む。このフレームメモリ６８は、画像データに対して後述の各種デジタル画像処理（信号処理）を行う際に使用する作業用メモリであり、例えば、一定周期のバスクロック信号に同期してデータ転送を行うＳＤＲＡＭ(Synchronous Dynamic Random Access Memory)から構成されている。
【００４７】
表示制御部７１は、例えばフレームメモリ６８に格納された画像データをスルー画として液晶モニタ１８に表示させるためのものであり、輝度（Y）信号と色（C）信号を一緒にして1つの信号としたコンポジット信号に変換して、液晶モニタ１８に出力する。
【００４８】
ＡＦ処理部６２及びＡＥ／ＡＷＢ処理部６３は、プレ画像に基づいて撮像条件を決定する。このプレ画像とは、撮像条件を設定するために取得される画像であり、例えば、シャッタボタン１９が半押し状態にされることによって発生した半押し信号を検出したＣＰＵ７５がＣＣＤ５８に被写体の撮像を実行させた結果、フレームメモリ６８に格納された画像データによる画像である。なお、このプレ画像を構成する画素数はスルー画を構成する画素数と同等である。
【００４９】
上記ＡＦ処理部６２は、上記プレ画像あるいは上記スルー画に基づいて画像のコントラストが最大となるピント位置を検出し、フォーカス駆動量データを出力する。
【００５０】
本実施形態においては、被写体の位置の検出方式として、撮像された画像中のピントが合った被写体についてはコントラストが高くなるという特徴を利用して被写体の位置を検出するパッシブ方式が適用されている。なおこの点については、後にさらに詳しく説明する。
【００５１】
ＡＥ／ＡＷＢ処理部６３は、上記プレ画像に基づいて被写体の明るさを測定し、絞り値やシャッター速度等を決定し、絞り値データやシャッター速度データを出力するとともに（ＡＥ）、撮像時のホワイトバランスを自動調整する（ＡＷＢ）。
【００５２】
画像処理部６４は、上記本撮像で得られた本画像の画像データに対してガンマ補正，シャープネス補正，コントラスト補正などの画質補正処理を施すとともに、ＣＣＤ−ＲＡＷデータを、輝度信号であるＹデータと、青色色差信号であるＣｂデータ及び赤色色差信号であるＣｒデータとからなるＹＣデータに変換するＹＣ処理を行う。
【００５３】
上記本画像は、シャッタボタン１９が全押し状態にされたときに実行される本撮像によってＣＣＤ５８から取り込まれる画像であり、アナログ信号処理部６０、画像入力コントローラ６１経由でフレームメモリに格納される画像データによって示される画像である。本画像の画素数の上限はＣＣＤ５８の画素数によって決定されるが、例えば、ファイン、ノーマルなどの設定により、記録画素数を変更することができる。一方、スルー画やプレ画像を構成する画素数は、本画像を構成する画素数よりも少なく、例えば、スルー画やプレ画像を構成する画素数は、本画像を構成する画素数の１／１６程度の画素数である。
【００５４】
圧縮／伸長処理部６７は、画像処理部６４によって補正・変換処理が行われた本画像のデータに対して、例えばＪＰＥＧなどの圧縮形式で圧縮処理を行い、画像ファイルを生成する。この画像ファイルには、Ｅｘｉｆフォーマット等に基づいて付帯情報が格納されたタグが付加される。また、この圧縮／伸長処理部６７は、再生モードにおいて、外部記録メディア７０から圧縮された画像ファイルを読み出し、伸長処理を行う。伸長後の画像データは液晶モニタ１８に出力される。
【００５５】
メディア制御部６９は、外部記録メディア７０にアクセスして画像ファイルの書き込みと読み込みの制御を行う。
【００５６】
ＣＰＵ７５は、動作モードスイッチ１１Ｄ等の操作系やＡＦ処理部６２等の各種処理部からの信号に応じて、デジタルカメラ１の本体各部を制御する。またデータバス７６は、画像入力コントローラ６１、各種処理部６２〜６７、フレームメモリ６８、各種制御部６９、７１、およびＣＰＵ７５に接続されており、このデータバス７６を介してデジタル画像データ等のやり取り、および撮像条件を設定するための情報伝達や制御等が行われる。
【００５７】
以下、上記構成のデジタルカメラ１によって撮像がなされるとき、ＣＰＵ７５によって制御される処理について、図５に示すフローチャートを参照して説明する。なお、この撮像がなされるときＡＦ処理部６２やＡＥ／ＡＷＢ処理部６３等が行う基本的な処理は上に説明した通りであり、ここでは、特に各部の処理については必要の無い限り省略して、ＣＰＵ７５によって制御される処理の流れを中心に説明する。
【００５８】
まず、図５に示すようにステップＰ１から処理がスタートすると、ステップＰ２において動作モードが撮像モードであるか再生モードであるかが判別される。ここで、動作モードスイッチ１１Ｄで指定された動作モードが再生モードであると判別された場合、ステップＰ１２に移行し再生処理がなされる。この再生処理は、前述のように外部記録メディア７０から画像ファイルを読み出し、それが示す画像を液晶モニタ１８に出力させる処理である。この再生処理が終了すると、処理の流れは後述するステップＰ１１１の処理に移行する。
【００５９】
一方、上記ステップＰ２において動作モードが撮像モードであると判別された場合、次のステップＰ３に移行し、撮像モードの種類が判別される。
【００６０】
ここで、撮像モードスイッチ１１Ａで指定された撮像モードが自動顔検出撮像モードである場合にはステップＰ４の顔を検出する顔検出処理が実行され、撮像モードが通常モードである場合には顔検出処理を実行することなく撮像を行なう通常の撮像処理に移行する。
【００６１】
以下、顔検出処理部の詳細を示すブロック図である図４、顔検出処理の詳細を示すフローチャートである図６等を参照して顔検出について説明する。
【００６２】
この顔検出処理は、デジタルカメラ１による撮像状態が適正でなく、この状態で撮像しても被写体を表す正常な画像が得られない可能性が高い場合には、顔が検出されたとしてもオートフォーカス部のピント合わせ動作を実行させないようにするものである。そして適正撮像条件記憶部８４には、デジタルカメラ１による撮像状態が適正であるか否かを判定するための複数の適正撮像条件が記憶されている。
【００６３】
図６のフローチャートのステップＰ４０１から顔検出処理をスタートしステップＰ４０２の処理に移行する。ステップＰ４０２において、適正撮像条件記憶部８４に記憶された上記適正撮像条件の候補となる複数の適正撮像条件Ｊ１，Ｊ２・・・のうちから実際に用いる適正撮像条件を設定する。
【００６４】
上記適正撮像条件を設定する際には、選択部８５の一部を構成しているメニュー切替操作ボタン１２の操作により、適正撮像条件記憶部８４に記憶された上記適正撮像条件Ｊ１，Ｊ２・・・のうちから上記判定に用いる適正撮像条件Ｊ１を指定する。そして、選択部８５が、記憶部８４から上記適正撮像条件Ｊ１を選択し、この適正撮像条件Ｊ１を判定部８３へ入力する。ここで選択された適正撮像条件Ｊ１は、「顔を撮像して得られる画像中での上記顔を表す画像の位置および大きさが一定」とする。より具体的には、適正撮像条件Ｊ１における顔を表す画像の位置が一定とは、例えば「ＣＣＤ５８の撮像面５８ａ上において、顔の境界を表す画素、すなわち、顔の輪郭を示す画素の位置が、１／３０秒当たり２画素以上撮像面上で移動しない状態が３秒以上継続している状態」とすることができる。また、適正撮像条件Ｊ１における顔を表す画像の大きさが一定とは、例えば「ＣＣＤ５８の撮像面５８ａ上において、顔を構成する画素数、すなわち、顔の輪郭の内側に含まれる画素数の変化が±５％以内である状態が３秒以上継続している状態」とすることができる。
【００６５】
なお、判定部８３による判定に用いる適正撮像条件は、１つに限らず、２つ以上の適正撮像条件を組み合わせたものとすることもできる。
【００６６】
次に、ステップＰ４０３の顔検出の処理に移行する。ステップＰ４０３では、検出部８２に、撮像レンズ２０を通して撮像されたスルー画が入力されるとともに、判別情報記憶部８１から顔であるか否かを判別する判別情報Ｈｊが入力され、検出部８２が上記スルー画中から上記判別情報Ｈｊに基づいて顔を表す画像を検出する。なお、判別情報Ｈｊは、例えば目、鼻、口、耳等の位置関係や顔の輪郭等を示すものであり、検出部８２による顔検出は、上記スルー画中から上記位置関係や輪郭を抽出する画像処理等によって実行される。上記顔検出処理には、例えば前述の特許文献１や特開２００５−２４２６４０号公報等に記載されている従来公知の手法を適用することができる。
【００６７】
そして、ステップＰ４０４の処理に移行し、検出部８２によって顔が検出されたときには、タイマー８７を起動させるステップＰ４０５の処理に移行し、顔が検出されなかった場合には、ステップＰ４０３の顔の検出処理に戻る。
【００６８】
ステップＰ４０５の処理によりタイマー８７を起動させ、ステップＰ４０６およびステップＰ４０７からなる処理に移行する。
【００６９】
ステップＰ４０６では、画像処理部６４が、１／３０秒毎にＣＣＤ５８の撮像面５８ａ上における顔の主要な輪郭を示す画素の位置を抽出しその情報を判定部８３へ入力する。
【００７０】
判定部８３には、１／３０秒毎に画像処理部６４から顔の主要な輪郭を示す画素位置が入力されるとともに、タイマー８７を起動させてからの経過時間が入力される。
【００７１】
判定部８３は、画像処理部６４から最後に入力された画素位置と、その前に入力された（１／３０秒早く入力された）画素位置とを比較し、互いの画素位置が２画素以上ずれているか否かを判定する第１の判定を行なう。そして、互いの画素位置が２画素以上ずれていると判定された場合にはタイマー８７をリセットするステップＰ４０８の処理に移行しさらに、ステップＰ４０３の顔検出の処理に戻る。
【００７２】
一方、上記判定部８３による判定により画素位置が２画素以上ずれていないと判定された場合には、さらに、この判定部８３によりタイマー８７から入力される経過時間が、あらかじめ設定された時間、例えば３秒以上であるか否かを判定する第２の判定を行なう。経過時間が３秒未満であると判定された場合には上記第１の判定を行なう処理に戻る。経過時間が３秒以上であると判定された場合にはタイマー８７をリセットするステップＰ４０７の処理に移行する。その後、ステップＰ４０９のリターン処理によりステップＰ６の合焦処理に移行する。
【００７３】
上記ステップＰ６の合焦処理では、ＡＦ処理部６２にＡＦ処理の指示が出され、オートフォーカス部による合焦処理が実行される。なおこの合焦処理については後に詳しく説明する。
【００７４】
上記オートフォーカス部による合焦処理の実行および非実行は制御部８６によって制御される。上記制御部８６は、判定部８３がデジタルカメラ１の撮像状態が適正撮像条件Ｊ１を満たしていると判定したときにはオートフォーカス部による合焦処理を実行させ、判定部８３がデジタルカメラ１の撮像状態が適正撮像条件Ｊ１を満たしていないと判定したときにはオートフォーカス部による合焦処理を実行させないように制御する。
【００７５】
上記合焦処理がなされると、次にステップＰ７の処理において、ＡＥ／ＡＷＢ処理部６３による露出決定の指示が出され、露出決定がなされる。
【００７６】
露出決定がなされると、次にステップＰ８において、シャッタボタン１９が全押し状態か、半押し状態か、押されていない解除状態かが判別される。
【００７７】
シャッタボタン１９が押されていない状態、すなわち全押しおよび半押し状態の両方が共に解除された状態の場合には、再度、顔検出処理を行うステップＰ４に戻る。
【００７８】
また、シャッタボタン１９が半押し状態と判別された場合には、再度、ステップＰ７の露出合わせ処理が実行される。
【００７９】
ここで、シャッタボタン１９が全押しされたと判別された場合には、被写体の本撮像を行うステップＰ９の処理に移行する。
【００８０】
ステップＰ９における本撮像が実行されると、次にステップＰ１０において、本撮像で撮像された画像を液晶モニタ１８に表示し、その画像を外部記録メディア７０に記録する処理がなされる。次にステップＰ１１において、レンズカバー２１が閉められて電源がオフにされたか否かが判別される。電源オフになっていない場合には、処理はステップＰ２に戻り次の被写体を撮像するための処理が開始される。電源オフになっている場合は、ステップＰ１３に移行し全ての処理が終了する。
【００８１】
上記の実施の形態によれば、検出された顔に自動的にピントを合わせて撮像を行なう際のオートフォーカス動作の動作量を低減させることができ、オートフォーカス動作による消費電力を低減することができる。
【００８２】
ここで、ステップＰ６でのＡＦ処理部６２による合焦処理について、このステップＰ６の処理を詳しく示す図７を参照して説明する。
【００８３】
ステップＰ６０１において合焦処理をスタートする。
【００８４】
ステップＰ６０２において顔の有無が判定される。ここでは、上記説明済のステップＰ４０４において顔が検出されている場合には顔有りと判定され、上記ステップＰ４０４において顔が検出されなかった場合には顔無しと判定される。
【００８５】
上記ステップＰ６０２において顔有りと判定された場合には、被写体距離を算出して被写体に対して合焦させるステップＰ６０３〜Ｐ６０４の処理に移行する。以下、この処理について詳しく説明する。
【００８６】
ステップＰ６０３の処理では、ＡＦ処理部６２によって撮像レンズから上記検出した被写体である顔までの距離が算出される。この被写体距離の算出は、フレームメモリ６８に格納されたプレ画像を示す画像データを利用してなされるものであり、例えばそこに撮像されている被写体の特徴量（顔の幅や長さ等）がＣＣＤ５８上で何画素分に相当しているかを求め、その画素数に基づいて上記被写体距離が算出される。なお、このような被写体距離の算出については上述の特許文献１等に詳しい記載があり、本実施形態でも、そこに記載されている方法を適用することができる。
【００８７】
そして、撮像レンズ２０から被写体距離だけ離れた位置を撮像レンズ２０のピント位置とするようにフォーカス用レンズ群２０ａの位置を設定する。すなわち、フォーカスレンズ駆動部５１がＡＦ処理部６２から出力されるフォーカス駆動量データに基づいて、上記位置がピント位置となるようにフォーカス用レンズ群２０ａを移動させ、その位置で停止させる。
【００８８】
上記のようにして合焦処理が終了すると、処理をリターンさせるステップＰ６０７の処理を経由してステップＰ７の処理に移行する。
【００８９】
一方、上記ステップＰ６０２において顔無しと判定された場合には、互に異なる複数のピント位置において求めた合焦評価値に基づく合焦評価値分布を得、この合焦評価値分布における合焦評価値の最大値に対応するピント位置を採用するステップＰ６０５〜Ｐ６０６の処理に移行する。以下、この処理について詳しく説明する。
【００９０】
ステップＰ６０５の処理ではまず、フォーカスレンズ駆動部５１が、ＡＦ処理部６２から出力される駆動データに基づいてフォーカス用レンズ群２０ａを動作範囲内の全域で光軸方向に段階的に移動させる。本実施形態においては、この合焦動作範囲（サーチ範囲）は、一例として最至近側で６０ｃｍ、最遠方側で無限遠に有る物体にそれぞれ合焦させる範囲である。このようにフォーカス用レンズ群２０ａを移動させるときに、前述のプレ画像を示す画像データがフレームメモリ６８に格納される。このプレ撮像はフォーカス用レンズ群２０ａを１方向へ段階的に移動させつつ実施され、ＡＦ処理部６２は上記各位置毎に撮像された画像のコントラストに対応する合焦評価値を求める。そのためにＡＦ処理部６２は、上記プレ画像を示す画像データをフィルタリング処理してその高周波成分を求め、その高周波成分の絶対値を積分した値を合焦評価値とする。ここで、上述のように、撮像レンズ２０のピント位置を１方向に移動させて（フォーカス用レンズ群２０ａを１方向へ移動させて）連続的に求められた合焦評価値を、フォーカス用レンズ群２０ａの位置に応じて示した合焦評価値分布Ｈを図８に示す。
【００９１】
次にステップＰ６０６において、本撮像に適したピント位置の決定がなされる。ここでは図８に示すように、ＡＦ処理部６２が、ピント位置を移動させつつ、すなわちフォーカス用レンズ群２０ａを移動させつつ合焦評価値がピーク値を示すときのフォーカス用レンズ群２０ａの位置Ｌｐを補間処理等によって求め、その位置Ｌｐを本撮像において設定するフォーカス用レンズ群２０ａの位置とする。
【００９２】
なお上述の補間処理等によって位置Ｌｐを決定する他、実際に求められた合焦評価値の中で最大値を取った位置（図８の例ならば位置Ｌo）を採用したり、そのような最大値が２つ存在した場合はそれらの中でより至近側にある位置を採用する等の手法を適用してもよい。
【００９３】
また、フォーカス用レンズ群２０ａを動作範囲内全域に移動させることは必ずしも必要ではなく、例えば特開２００４−４８４４６号公報に示されるような「山登り合焦動作」を採用すれば、フォーカス用レンズ群２０ａを動作範囲中の一部の範囲内に移動させれば済む。そのようにすれば、合焦動作の高速化が実現される。
【００９４】
上記のようにして合焦処理が終了すると、処理をリターンさせるステップＰ６０７の処理を経由して、上記説明済みのステップＰ７の露出合わせ処理に移行する。
【００９５】
なお、上記適正撮像条件記憶部８４に記憶され判定に用いられる適正撮像条件は、上記「顔を撮像して得られる画像中での前記顔を表す画像の位置および大きさが一定」の他に、以下に示すような適正撮像条件を適用することができ、さらに、２つ以上の適正撮像条件の組み合わせを上記判定に用いる適正撮像条件とするときには、判定に用いる全ての適正撮像条件を満たした場合、あるいは判定に用いるいずれか１つの適正撮像条件を満たした場合に上記判定部が適正撮像条件を満たしていると判定することもできる。以下、適正撮像条件の例について説明する。
【００９６】
適正撮像条件として、「撮像レンズの画角が固定された状態」を採用することができる。そのような場合、判定部８３には、撮像レンズ２０を構成するズーム用レンズ群２０ｂの移動情報がＣＰＵ７５を経由して入力される。この判定部８３は、上記移動情報に基づいて、上記ズーム用レンズ群２０ｂが過去３秒以内に移動させられていないと認められる場合に上記適正撮像条件を満足していると判定する。
【００９７】
また、適正撮像条件として、「撮像装置が静止状態」を採用することができる。そのような場合、判定部８３には、デジタルカメラ１内に配置された加速度センサ８９で測定された加速度を示す加速度情報がＣＰＵ７５を経由して入力される。この判定部８３は、入力された上記加速度情報に基づいて、デジタルカメラ１によって撮像される画像にブレが生じないであろうと認められる状態が３秒以上継続中であると認められる場合に上記適正撮像条件を満足していると判定する。
【００９８】
また、適正撮像条件として、「撮像面５８ａ上での受光光量が一定であること」を採用することができる。そのような場合、判定部８３には、ＣＣＤ５８によって取得されたこのＣＣＤ５８の撮像面の全面積の３０％を占める中心領域における全受光光量を示す光量情報がＣＰＵ７５を経由して逐次入力される。この判定部８３は、入力された上記光量情報の示す上記受光光量の変動が５％以下であると認められる状態が３秒以上継続中であると認められる場合に上記前提条件を満足していると判定する。
【００９９】
また、適正撮像条件として、「撮像レンズを通して撮像された画像の合焦評価値が一定」を採用することができる。そのような場合、判定部８３には、フォーカス用レンズ群２０ａを移動させることなく求められた合焦評価値を示す合焦評価値情報がＣＰＵ７５を経由して逐次入力される。この判定部８３は、上記合焦評価値情報に基づいて、合焦評価値の変動が±５％以下となる状態が３秒以上継続中であると認められる場合に上記適正撮像条件を満足していると判定する。
【０１００】
また、適正撮像条件として、「撮像された画像の色を示す値が一定であること」、「撮像装置の撮像モードを、顔検出モード、人物撮像モード、セルフタイマー撮像モード、または自分撮像モードに設定した状態であること」、あるいは「オートフォーカス部を駆動するための電池に蓄積されたエネルギの残量が予め定められた閾値以下であること」等を採用することができる。
【０１０１】
なお、上記顔検出モード、人物撮像モード、セルフタイマー撮像モード、自分撮像モードは排他的な関係にあってもよいし、そうでなくてもよい。例えば、顔検出モードと人物撮像モードとを同時に設定し動作させることができるようにしてもよいし、同時に設定し動作させることができないようにしてもよい。
【０１０２】
また、例えば、人物撮像モードとセルフタイマー撮像モードとを同時に設定し動作させることができるようにしてもよいし、同時に設定し動作させることができないようにしてもよい。
【０１０３】
なお、上記顔検出モードは顔検出用の（顔を検出するための）撮影モードではなく、上記顔検出モードに設定した状態とは、例えば、顔の検出を実行可能にする動作、あるいは操作がなされた状態を意味する。
【０１０４】
また、人物撮像モードは、人物を被写体として撮像することを可能にするモードである。
【０１０５】
前記撮像装置を、被写体の移動を検出しその検出結果を出力する被写体移動検出部６６（図３参照）を備えたものとした場合には、適正撮像条件として、「被写体移動検出部からの出力が被写体の位置が一定であることを示す状態であること」を採用することができる。なお、被写体移動検出部６６には、例えば防犯用に使用される赤外線センサー等を採用することができる。
【０１０６】
なお、上述のステップＰ６でのＡＦ処理部６２による合焦処理の代わりに、以下に示す「ピントを合わせる対象領域を顔領域に限定して合焦処理を行う方式」を採用することもできる。上記合焦処理について図９を参照して説明する。上記図９は上記合焦処理の手順であるステップＰ６０１αからステップＰ６０８αまでの処理を示すものである。
【０１０７】
ステップＰ６０１αにおいて合焦処理をスタートする。
【０１０８】
ステップＰ６０２αにおいて顔の有無が判定される。上述の場合と同様に、ここでは、説明済のステップＰ４０４において顔が検出されている場合には顔有りと判定され、ステップＰ４０４において顔が検出されなかった場合には顔無しと判定される。
【０１０９】
上記ステップＰ６０２αにおいて顔有りと判定された場合には、ピントを合わせる対象とする領域を顔領域に限定して合焦処理を行うステップＰ６０３α〜Ｐ６０５αの処理に移行する。以下、この処理について詳しく説明する。
【０１１０】
ステップＰ６０３αの処理では、ＡＦ処理部６２およびＣＰＵ７５の作用によってピントを合わせる領域を顔領域に限定する。
【０１１１】
次のステップＰ６０４αの処理では、ピントを合わせる領域を顔領域に限定した状態で、互に異なる複数のピント位置において求めた合焦評価値に基づく合焦評価値分布を得、その後、ステップＰ６０５αの処理に移行する。
【０１１２】
ステップＰ６０５αの処理では、上記合焦評価値分布中の合焦評価値の最大値に対応するピント位置にフォーカス用レンズ群２０ａの位置を移動させ停止させる。
【０１１３】
上記ステップＰ６０４αおよびステップＰ６０５αの処理は、ピントを合わせる領域を顔領域に限定したこと以外は、既に説明済みのステップＰ６０５およびステップＰ６０６の処理と同様であるのでその説明を省略する。
【０１１４】
一方、上記ステップＰ６０２αの処理において顔無しと判定された場合には、合焦評価値を算出するステップＰ６０８β、および合焦評価値を最大にずるフォーカス用レンズ群の位置を設定するステップＰ６０９βの処理を実行する。すなわち、ピントを合わせる対象領域を顔領域に限定することなく合焦評価値分布を得、合焦評価値の最大値に対応するピント位置にフォーカス用レンズ群２０ａの位置を移動させ停止させる処理を実行する。上記ステップＰ６０６αおよびステップＰ６０７αの処理は既に説明済みのステップＰ６０５およびステップＰ６０６の処理と同様であるので詳しい説明を省略する。
【０１１５】
上記いずれかの方式により合焦処理が終了すると、その処理をリターンさせるステップＰ６０８βの処理を経由して、上記説明済みのステップＰ７の露出合わせ処理に移行する。
【０１１６】
さらに、上述のステップＰ６でのＡＦ処理部６２による合焦処理の代わりに、以下に示す「ピントを合わせる領域および撮像レンズ２０のピント調節範囲を限定して合焦処理を行う方式」を採用することもできる。上記合焦処理について図１０を参照して説明する。上記図１０は上記合焦処理の手順であるステップＰ６０１βからステップＰ６１０βまでの処理を示すものである。
【０１１７】
ステップＰ６０１βにおいて合焦処理をスタートする。
【０１１８】
ステップＰ６０２βにおいて顔の有無が判定される。上述の場合と同様に、ここでは、説明済のステップＰ４０４において顔が検出されている場合には顔有りと判定され、ステップＰ４０４において顔が検出されなかった場合には顔無しと判定される。
【０１１９】
上記ステップＰ６０２βにおいて顔有りと判定された場合には、ピントを合わせる領域および撮像レンズ２０のピント調節範囲を限定して合焦処理を行うステップＰ６０３β〜Ｐ６０７βの処理に移行する。以下、この処理について詳しく説明する。
【０１２０】
ステップＰ６０３βの処理では、ＡＦ処理部６２によって、撮像レンズから上記検出した被写体である顔までの距離を示す被写体距離を算出する。その後、ステップ６０４βの処理に移行する。なお、このステップＰ６０３βの処理は上述のステップＰ６０３の処理と同様である。
【０１２１】
ステップ６０４βの処理では、ＡＦ処理部６２の処理およびＣＰＵ７５の制御によって撮像レンズ２０のピント調節範囲を、被写体距離だけ離れた位置の近傍の範囲に限定する。上記被写体距離は撮像レンズ２０から顔までの距離である。そして、被写体距離だけ離れた位置の近傍の範囲に撮像レンズ２０のピント位置を位置させるようにフォーカス用レンズ群２０ａを移動させる。
【０１２２】
ステップＰ６０５βの処理では、ＡＦ処理部６２およびＣＰＵ７５の処理によってピントを合わせる領域を顔領域に限定する。
【０１２３】
次のステップＰ６０６βの処理では、上記ピントを合わせる領域を顔領域に限定し、かつ撮像レンズ２０のピント調節範囲を上記被写体距離だけ離れた位置の近傍の範囲に限定した状態で、互に異なる複数のピント位置において求めた合焦評価値に基づく合焦評価値分布を得る。ここで、フォーカスレンズ駆動部５１が、ＡＦ処理部６２から出力される駆動データに基づいて、フォーカス用レンズ群２０ａを上記限定された動作範囲内で光軸方向に移動させる。ここで、フォーカス用レンズ群２０ａを上記動作範囲（サーチ範囲）内で移動させたときに、ピント位置は上記被写体距離だけ離れた位置の近傍の範囲内に移動する。上記処理の終了後、ステップＰ６０７βの処理に移行する。
【０１２４】
ステップＰ６０７βの処理では、上記合焦評価値分布における合焦評価値の最大値に対応するピント位置にフォーカス用レンズ群２０ａの位置を移動させ停止させる。
【０１２５】
上記ステップＰ６０６βおよびステップＰ６０７βの処理は、ピントを合わせる領域および撮像レンズ２０のピント調節範囲を限定したこと以外は、既に説明済みのステップＰ６０５およびステップＰ６０６の処理と同様であるのでその説明を省略する。
【０１２６】
一方、上記ステップＰ６０２βの処理において顔無しと判定された場合には、合焦評価値を算出するステップＰ６０８β、および合焦評価値を最大にずるフォーカス用レンズ群の位置を設定するステップＰ６０９βの処理を実行する。すなわち、ピントを合わせる対象領域および撮像レンズ２０のピント調節範囲を限定することなく合焦評価値分布を得、合焦評価値の最大値に対応するピント位置にフォーカス用レンズ群２０ａの位置を移動させ停止させる処理を実行する。上記ステップＰ６０８βおよびステップＰ６０９βの処理は既に説明済みのステップＰ６０５およびステップＰ６０６の処理と同様であるので詳しい説明を省略する。
【０１２７】
上記いずれかの方式により合焦処理が終了すると、その処理をリターンさせるステップＰ６１０βの処理を経由して、上記説明済みのステップＰ７の露出合わせ処理に移行する。
【０１２８】
なお、上記Ｐ６０５β〜６０７βの処理においては、ピントを合わせる領域を顔領域に限定して合焦評価値を最大にするフォーカス用レンズ群の位置を求めたが、ピントを合わせる領域を顔領域等に限定するＰ６０５βでの処理を省くようにしてもよい。すなわち、Ｐ６０５βの処理を省き、Ｐ６０６β〜６０７βの処理をピントを合わせる領域を顔領域等に限定することなく合焦評価値を最大にするフォーカス用レンズ群の位置を求めるように変更してもよい。
【０１２９】
以上のように、上記実施形態は本発明をデジタルスチルカメラに適用したものであるが、本発明は静止画を撮像し記録するデジタルスチルカメラに限らず、動画を撮像し記録するビデオカメラ、あるいは長時間に亘って予め定められた場所の動画あるいは静止画を撮像し記録する監視用カメラ等の撮像装置全般に適用可能である。
【図面の簡単な説明】
【０１３０】
【図１】本発明の実施形態による撮像装置であるデジタルカメラの外観を前面側から見た図
【図２】本発明の実施形態による撮像装置であるデジタルカメラの外観を背面側から見た図
【図３】デジタルカメラの電気的な構成を示すブロック図
【図４】図３のブロック図中の顔検出処理部の構成を詳しく示すブロック図
【図５】デジタルカメラによる撮像処理の全体の流れを示すフロー図
【図６】顔検出処理の各工程を示すフロー図
【図７】合焦処理の各工程を示すフロー図
【図８】合焦評価値を示す図
【図９】ピントを合わせる領域を限定した合焦処理の各工程を示すフロー図
【図１０】撮像レンズのピント調節範囲を限定した合焦処理の各工程を示すフロー図
【符号の説明】
【０１３１】
１    デジタルカメラ
２０    撮像レンズ
２０ａ    フォーカ用スレンズ
２０ｂ    ズーム用スレンズ
５１    フォーカス用レンズ駆動部
５２    ズーム用スレンズ駆動部
５８    ＣＣＤ
５８ａ    撮像面
６５    顔検出処理部
７５    ＣＰＵ
８１    判別情報記憶部
８２    検出部
８３    判定部
８４    適正撮像条件記憶部
８５    選択部
８６    制御部
Ｈｊ    判別情報
Ｊ１，Ｊ２・・・    適正撮像条件
【図１】
0004657960.tif 000002
【図２】
0004657960.tif 000003
【図３】
0004657960.tif 000004
【図４】
0004657960.tif 000005
【図５】
0004657960.tif 000006
【図６】
0004657960.tif 000007
【図７】
0004657960.tif 000008
【図８】
0004657960.tif 000009
【図９】
0004657960.tif 000010
【図１０】
0004657960.tif 000011